(57)【要約】【課題】ブックカバーを掛けたままの状態で、本棚等に他の本と一緒に並べても、タイトルや図柄からその本が判別できるように、利用者が本の使用頻度に応じた耐久性を持った素材を選択し、自由なタイトルと本の内容や各自の趣味またはファッションに応じた図柄を印刷したブックカバーを、簡単な操作により、即時に製造し提供する装置を得る。【解決手段】外箱（１）の上部にスキャナー（２）、モニター装置（３）、操作パネル（４）、携帯電話機型タイトル入力装置（５）を取り付け、その下部にブックカバー編集コンピュータープログラム装置（６）、図柄ＣＤ読み込み装置（７）を組み込み、さらに、その下に、印刷機（８）、ブックカバー素材トレイ（９）、ブックカバー排出口（１０）を取り付けたインスタントブックカバー製造機を提供する。【選択図】　　　　　　図１
2004017647.tif 000002
【特許請求の範囲】
【請求項１】
外箱（１）の上部に、スキャナー（２）、モニター装置（３）、操作パネル（４）そして携帯電話機型タイトル入力装置（５）を取り付け、その下部に、ブックカバー編集コンピュータープログラム装置（６）、図柄ＣＤ読み込み装置（７）を組み込み、さらにその下部に、印刷機（８）、ブックカバー素材トレイ（９）、排出口（１０）を取り付けた、インスタントブックカバー製造機。
【請求項２】
当製造機の利用者が持ち込んだ写真や図柄を取り込むための、インスタントブックカバー製造機用スキャナー（２）。
【請求項３】
当製造機の利用者が入力したブックカバーの各種情報を完成イメージとして表示し、選択する図柄を一覧表示するための、インスタントブックカバー製造機用モニター装置（３）。
【請求項４】
当製造機の利用者が、ブックカバーを製造するための情報を入力するための、インスタントブックカバー製造機用操作パネル（４）。
【請求項５】
当製造機の利用者が、自由なタイトルを、携帯電話機のメール入力になれている人が入力しやすいようにした、インスタントブックカバー製造機用携帯電話機型タイトル入力装置（５）。
【請求項６】
当製造機の利用者が入力したブックカバーの各種情報を処理し、タイトル・図柄・持ち込み写真や図柄をブックカバーの所定の位置に印刷されるように編集する、インスタントブックカバー製造機用ブックカバー編集コンピュータープログラム装置（６）。
【請求項７】
当製造機の利用者が、選択する図柄を図柄ＣＤから読み込むための、インスタントブックカバー製造機用図柄ＣＤ読み込み装置（７）。
【請求項８】
当製造機の利用者が、各自の好みに応じて入力したブックカバーの各種情報を、ブックカバー編集コンピュータープログラム装置の制御により、印刷実行するための、インスタントブックカバー製造機用印刷機（８）。
【請求項９】
数種類のサイズと材質・カラーのブックカバーの素材を納め、ブックカバー編集コンピュータープログラム装置の制御により、印刷装置へブックカバー素材を供給するための、インスタントブックカバー製造機用ブックカバー素材トレイ（９）。
【請求項１０】
数種類のサイズ（文庫サイズ・新書サイズ・コミックサイズ等）の高さに合わせた幅と、表紙・裏表紙・背表紙および両側折り返し分を見込んだ長さにカットし、折り返し裏面先端部には、ブックカバーのずれ止めとして、粘着材を数ポイント塗布し、フィルムでカバーした、インスタントブックカバー製造機用ブックカバー素材（１１）。
【発明の詳細な説明】
【０００１】
【発明の属する技術分野】
本発明は、当製造機の利用者が、本の使用頻度に応じた耐久性を持った素材を選択し、自由なタイトルと各自の好みに応じた図柄を印刷したブックカバーを、簡単な操作により、即時に製造し提供する装置に関する。
【０００２】
【従来の技術】
書店でサービスされる従来のブックカバーは、あらかじめ書店名や図柄を印刷した用紙を、書店員が数種類の本の高さサイズに合わせて折っておき、会計時に、商品の本へそれをカバーとして掛けている。
【０００３】
【発明が解決しようとする課題】
書店でサービスされる従来のブックカバーにあっては、ブックカバーを掛けたままの状態では、中身の本の判別ができないと言う問題点があった。また、ブックカバーの図柄も画一的で面白くないものが多く、個人の好みの図柄を選ぶことができないという問題点があった。また、ブックカバーの素材も単一で耐久性に劣るので、長く読む本の場合は、読書中に破れるという問題点があった。
【０００４】
本製造機は、ブックカバーを掛けたままの状態で、本棚等に他の本と一緒に並べても、タイトルや図柄からその本が判別できるように、利用者が本の使用頻度に応じた耐久性を持った素材を選択し、自由なタイトルと本の内容や各自の趣味またはファッションに応じた図柄を印刷したブックカバーを、簡単な操作により、即時に製造し提供する装置を得ることを目的としている。
【０００５】
【問題を解決するための手段】
上記目的を達成するために、本発明のインスタントブックカバー製造機においては、ブックカバー編集コンピュータープログラム装置を組み込み、利用者の持ち込み写真を読み取るためのスキャナーを備え、利用者が情報を入力する操作パネルおよび入力内容を確認するためのモニター装置を装着し、製造を実行するためのブックカバー素材トレイおよび印刷装置を取り付けたものである。
【０００６】
上記、ブックカバー編集コンピュータープログラム装置は、当製造機の利用者が、操作パネル上で入力するブックカバーのサイズ・素材・タイトル・図柄・持ち込み写真や図柄の情報を、ブックカバーの表紙・裏表紙・背表紙の所定の位置に印刷されるように編集し、その印刷情報を完成イメージとしてモニター装置に表示する。そして、操作パネルから入力された印刷実行情報により、選定したブックカバー素材トレイからブックカバー素材を印刷機へ送り、印刷、排出の作動を制御する。ブックカバー編集コンピュータープログラム装置は、ワードプロセッサーソフトの文字入力・図柄貼り付け・印刷設定・用紙選択・印刷・モニター表示機能を利用する。
【０００７】
ブックカバーのサイズと素材の入力は、当製造機の利用者が、操作パネル上で数種類のサイズ（文庫サイズ・新書サイズ・コミックサイズ等）と数種類の材質・カラーの素材の中から選択し入力する。ブックカバー編集コンピュータープログラム装置は、サイズと素材の入力に連動して、選択されたサイズと素材用のワードプロセッサーファイルを開く。そのファイルでは、選択されたブックカバーサイズの表紙・裏表紙の印刷範囲と印刷するブックカバー素材トレイをあらかじめ設定されている。続けて、利用者は、ブックカバー背表紙の幅を、操作パネル付近に取り付けた本の厚さメジャーに本をあてて測り、数値を入力する。その入力により、背表紙の印刷範囲が設定され、ブックカバー全体の印刷範囲が確定する。
【０００８】
ブックカバーのタイトル入力は、当製造機の利用者が、自由なタイトルを、操作パネル上で入力し、ブックカバー編集コンピュータープログラム装置は、サイズと素材の選択時に開いたワードプロセッサーファイル上の表紙・裏表紙・背表紙のあらかじめ設定されたタイトル入力位置に、タイトルを配置し、モニター装置に表示する。タイトル入力は、操作パネル上に配列された、ひらがな・数字・アルファベットを選択し漢字変換等をおこない入力する。また、携帯電話のメール入力に慣れている人のために、携帯電話機形状の文字入力装置を当製造機本体とコードでつないで装着し、操作パネルか携帯電話機型文字入力装置のどちらからでも入力できるようにする。
【０００９】
ブックカバーの図柄選択は、当製造機の利用者が、各自の好みに応じた図柄を、操作パネル上で、あらかじめ用意された図柄や写真のサンプルの中から選択入力し、ブックカバー編集コンピュータープログラム装置は、サイズと素材の選択時に開いたワードプロセッサーファイル上の表紙・裏表紙・背表紙のあらかじめ設定された図柄貼り付け位置に、図柄や写真を貼り付け、モニター装置に表示する。図柄には、様々な模様やイラストを用意し、写真には、風景や動物や乗物や絵画そしてタレントのポートレート等を用意する。図柄データは、ＣＤＲＯＭ化したものを、読み込み装置を内蔵して、モニター装置に一覧表示し、操作パネル上で選択する。図柄ＣＤ読み込み装置は、ＣＤ−Ｒドライブを利用する。
【００１０】
当製造機の利用者が持ち込んだ写真や図柄は、スキャナーで読み取り、ブックカバー編集コンピュータープログラム装置は、サイズと素材の選択時に開いたワードプロセッサーファイル上の表紙・裏表紙・背表紙のあらかじめ設定された図柄貼り付け位置に、持ち込み写真や図柄を貼り付け、モニター装置に表示する。ブックカバー編集コンピュータープログラム装置は、スキャナーの読み取り範囲に置かれた持ち込み写真や図柄のサイズをスキャナーで読み取り、あらかじめ設定された図柄貼り付け位置のサイズに合うように、拡大縮小をおこなう。
【００１１】
入力されたタイトルと選択された図柄、そしてスキャナーで読み取られた持ち込み写真や図柄は、印刷位置が重なる部分については、タイトル、持ち込み写真や図柄、図柄の順に優先して印刷されるように、ブックカバー編集コンピュータープログラム装置の、サイズと素材の選択時に開いたワードプロセッサーファイル上で設定されている。
【００１２】
操作パネルは、当製造機の利用者が、各自の好みに応じたブックカバーを製造するための情報を入力する装置で、ブックカバーのサイズ・素材・タイトル・図柄を入力する装置と、持ち込み写真や図柄を読み取るスキャナー作動装置、その完成イメージを確認するモニター作動装置、そして製造を実行する印刷作動装置を配列する。操作パネルは、ボタンスイッチ式またはタッチパネル式またはその併用を利用する。
【００１３】
モニター装置は、当製造機の利用者が、各自の好みに応じて入力したブックカバーの各種情報を完成イメージとして、表示する装置である。表示内容は、ブックカバーの表紙・裏表紙・背表紙の所定の位置に入力されたタイトル、図柄、そして持ち込み写真や図柄である。また、図柄入力の際には、サンプル図柄を一覧表示する。モニー装置は、ブラウン管画面又は液晶画面を利用する。
【００１４】
ブックカバー素材トレイは、数種類のサイズ（文庫サイズ・新書サイズ・コミックサイズ等）の高さに合わせた幅と、表紙・裏表紙・背表紙および両側折り返し分を見込んだ長さにカットしたブックカバー素材を、サイズ毎に数種類の材質や色の素材をそれぞれ別々に納め、ブックカバーのサイズと素材の選択で入力されたブックカバー素材を印刷装置へ供給する装置である。ブックカバー素材トレイは、コピー機の用紙トレイを利用する。
【００１５】
印刷装置は、当製造機の利用者が各自の好みに応じて入力したブックカバー情報を、ブックカバー編集コンピュータープログラム装置の制御により、ブックカバー素材トレイより供給されるブックカバー素材に印刷実行し排出する装置である。印刷装置は、レーザープリンターまたはインクジェットプリンターを利用する。
【００１６】
ブックカバー素材は、利用者が本にブックカバーを掛けやすいように、ブックカバー編集コンピュータープログラム装置が、サイズと素材の選択において、背表紙の印刷範囲が設定され、ブックカバー全体の印刷範囲が確定した時点に、折り返しの位置に、目印の印刷設定を自動的におこなう。また、折り返し裏面先端部には、粘着材を数ポイント塗布し、フィルムでカバーしておき、利用者がそのフィルムを剥がして、本に貼り付けて、ブックカバーのずれ止めとして使用する。
【００１７】
【発明の実施の形態】
発明の実施の形態を、図面にもとづき説明する。
図１において、外箱の上部にスキャナー、モニター装置、操作パネル、携帯電話機型タイトル入力装置を取り付け、その下部にブックカバー編集コンピュータープログラム装置、図柄ＣＤ読み込み装置を組み込み、さらに、その下にブックカバー排出口、印刷機、ブックカバー素材トレイを取り付けたインスタントブックカバー製造機を提供する。
【００１８】
【発明の効果】
本発明は、以上説明したように構成されるので、以下に記載されるような効果を奏する。
【００１９】
本の判別や分類がし易いように、自由なタイトルを印刷したブックカバーを提供することができる。
【００２０】
そして、従来の書店でサービスされるブックカバーは、本を読み終わった後、本を本棚に収納する際に、破棄されているのが通常であるが、このブックカバーは、そのまま本に掛けられたまま、読み終わった後の本を保護し続け、ゴミの発生を抑える。
【００２１】
さらに、好みの趣味やファッションに応じた図柄や写真を印刷したブックカバーを提供することができ、読書スタイルに新しい広がりが生まれ、読書人口の増加に寄与する。
【００２２】
また、本の使用頻度に応じた耐久性のある素材で、ブックカバーを提供することができる。
【００２３】
また、書店員が、あらかじめ書店名や図柄を印刷した用紙を、数種類の本の高さサイズに合わせて折っておき、会計時に、商品の本へそれをカバーとして掛けるという作業が省かれ、作業の省力化が図れる。
【図面の簡単な説明】
【図１】インスタントブックカバー製造機の斜視図である。
【図２】ブックカバー素材の斜視図である。
【符号の説明】
１　外箱
２　スキャナー
３　モニター装置
４　操作パネル
５　携帯電話機型タイトル入力装置
６　ブックカバー編集コンピュータープログラム装置
７　図柄ＣＤ読み込み装置
８　印刷機
９　ブックカバー素材トレイ
１０排出口
１１ブックカバー素材
【図１】
2004017647.tif 000003
【図２】
2004017647.tif 000004